(57)【要約】【課題】            本発明は、口紅、スティックファンデーションなどを収納した棒状化粧料繰り出し容器に関し、持った時の高級感を向上させる棒状化粧料繰り出し容器に関するものである。【解決手段】        棒状化粧料を保持し、棒状化粧料を上下摺動させる繰り出し機構を内装した繰り出し構造体と、キャップが抜脱可能に嵌合する嵌合部を有し、金属薄板により成形した嵌合部を上部に設けた外装体とより成り、スリーブが嵌合部を貫通した状態で、連結部と外装体を止着して、外装体と繰り出し構造体を連結した構成において、外装体の嵌合部内面に成形された凹所に、弾性変形可能で、スリーブが貫通する当接筒を内装する。この当接筒の内壁に当接部を突設し、繰り出し構造体が横振れした時、当接部で他所に当たらないよう支える。【選択図】          図１
2018027165.tif 000002
【特許請求の範囲】
【請求項１】
棒状化粧料（１）を保持し、棒状化粧料（１）を上下摺動させる繰り出し機構（１０）を内装し、上端及び下端を除くほぼ全体を覆ったスリーブ（３）と、該スリーブ（３）下端より突出した連結部（４１）を相対回転させることにより繰り出し機構（１０）を駆動する繰り出し構造体（Ａ）と、キャップ（図示しない）が抜脱可能に嵌合する嵌合部（５１）を有し、金属薄板により成形した中筒（５）を上部に設けた外装体（Ｂ）とより成り、繰り出し構造体（Ａ）のスリーブ（３）を外装体（Ｂ）の中筒（５）を貫通した状態で、繰り出し構造体（Ａ）の連結部（４１）と外装体（Ｂ）を止着して、外装体（Ｂ）と繰り出し構造体（Ａ）を連結した構成において、
外装体（Ｂ）の中筒（５）内面に成形された凹所（５３）に、エラストマーなどの弾性変形可能な素材より成形し、スリーブ（３）が貫通する当接筒（６）を内装し、該当接筒（６）の内壁に、内接円径（α１）がスリーブ外径（β）よりも僅かに大径の当接部（６０）を突設し、該突設部（６０）は、通常でスリーブ（３）と接触しておらず、繰り出し構造体（Ａ）が横ぶれした時スリーブ（３）外壁が当接することを特徴とする棒状化粧料繰り出し容器。
【請求項２】
棒状化粧料（１）を保持し、棒状化粧料（１）を上下摺動させる繰り出し機構（１０）を内装し、上端及び下端を除くほぼ全体を覆ったスリーブ（３）と、該スリーブ（３）下端より突出した連結部（４１）を相対回転させることにより繰り出し機構（１０）を駆動する繰り出し構造体（Ａ）と、キャップ（図示しない）が抜脱可能に嵌合する嵌合部（５１）を有し、金属薄板により成形した中筒（５）を上部に設けた外装体（Ｂ）とより成り、繰り出し構造体（Ａ）のスリーブ（３）を外装体（Ｂ）の中筒（５）を貫通した状態で、繰り出し構造体（Ａ）の連結部（４１）と外装体（Ｂ）を止着して、外装体（Ｂ）と繰り出し構造体（Ａ）を連結した構成において、
外装体（Ｂ）の中筒（５）内面に成形された凹所（５３）に、エラストマーなどの弾性変形可能な素材より成形し、スリーブ（３）が貫通する当接筒（６）を内装し、該当接筒（６）の内壁に、内接円径（α２）がスリーブ外径（β）よりも僅かに小径の当接部（６０）を突設し、通常の状態で当接部（６０）の先端（６１）がスリーブ（３）外壁に接触して繰り出し構造体（Ａ）を外装体（Ｂ）の軸心に支えており、該当接部（６０）は、スリーブ（３）と外装体（Ｂ）の相対回転時に摺動抵抗が生じにくい形状としたことを特徴とする棒状化粧料繰り出し容器。
【請求項３】
該当接筒（６）の当接部（６０）は、先端（６１）がとがった形状をしており、スリーブ（３）外壁に線接触することを特徴とする請求項２記載の棒状化粧料繰り出し容器。
【請求項４】
該当接筒（６）の当接部（６０）は、背面に空洞部分（６２）を有して剛性の弱い形状をしており、スリーブ（３）外壁に低い反発力で接触することを特徴とする請求項２記載の棒状化粧料繰り出し容器。
【発明の詳細な説明】
【技術分野】
【０００１】
本発明は、口紅、スティックファンデーションなどの棒状化粧料を収納し、容器を相対回転操作することにより棒状化粧料を繰り上げ下げさせる回転繰り出し機構を内装した棒状化粧料繰り出し容器に関し、容器を保持した時、使用した時の高級感を向上させる棒状化粧料繰り出し容器に関するものである。
【背景技術】
【０００２】
口紅、スティックファンデーションなどの棒状化粧料を収納し、容器を相対回転操作することにより棒状化粧料を繰り上げ下げさせる回転繰り出し機構を内装した棒状化粧料繰り出し容器は、回転繰り出し機構を内装した繰り出し構造体を規格品化してコストダウンし、この繰り出し構造体を、製品ごとに差別化する加飾を施した外装体に装着して成っていた。この繰り出し構造体の繰り出し機構は、繰り出し構造体のほとんどを覆い、外装体に装着した際、外部に突出し、加飾が可能なスリーブと、このスリーブ下端より突出し、外装体に連結する連結部とを相対回転する事により作動させていた。
【０００３】
この繰り出し構造体は、下端の連結部が外装体に連結しているため、下端の連結部を中心に横ぶれし易かった。この繰り出し構造体が横ぶれしてしまうと、繰り出し構造体の先端のぶれ幅が大きく、スリーブ外壁が、外装体の最上端にある、キャップが抜脱可能に嵌合する嵌合部を有した中筒の内壁上端に当たってしまった。
【先行技術文献】
【特許文献】
【０００４】
【特許文献１】実開昭５７−１５２２１１号公報
【特許文献２】実開昭５９−３１３１５号公報
【特許文献３】特開２０００−２６２３２５号公報
【発明の概要】
【発明が解決しようとする課題】
【０００５】
特許文献１においては、中筒の内面に塗膜を設けてスリーブ外壁が塗膜に当接するようにして回転繰り出し操作を円滑化できた。特許文献２においては、中筒の内周面に複数の支持突部を突設して繰り出し構造体の横ぶれを規制した。特許文献３においては、中筒の内周面、口元よりも少し下がった位置に、当接部を突設して、スリーブ側面が中筒先端に当接しての傷の発生を防止した。
【０００６】
上記特許文献は、回転操作を円滑化したり、横ぶれを規制したり、横ぶれによる傷の発生を防止したりする効果は有していた。しかし、横ぶれ自体の発生を防ぐことは構造的に困難であり、容器を振った時などに横ぶれが発生し、スリーブと中筒が当たり、硬い物同士が当たって生じるカタカタ音が発生してしまった。このカタカタ音は化粧品容器の高級感を損なうものであった。
【課題を解決するための手段】
【０００７】
本発明は、前述した課題を解消するため、棒状化粧料１を保持し、棒状化粧料１を上下摺動させる繰り出し機構１０を内装し、上端及び下端を除くほぼ全体を覆ったスリーブ３と、このスリーブ３下端より突出した連結部４１を相対回転させることにより繰り出し機構１０を駆動する繰り出し構造体Ａと、キャップ（図示しない）が抜脱可能に嵌合する嵌合部５１を有し、金属薄板により成形した中筒５を上部に設けた外装体Ｂとより成り、繰り出し構造体Ａのスリーブ３を外装体Ｂの中筒５を貫通した状態で、繰り出し構造体Ａの連結部４１と外装体Ｂを止着して外装体Ｂと繰り出し構造体Ａを連結した構成において、外装体Ｂの中筒５内面に成形された凹所５３に、エラストマーなどの弾性変形可能な素材より成形し、スリーブ３が貫通する当接筒６を内装する。この当接筒６の内壁に、内接円径α１がスリーブ外径βよりも僅かに大径の当接部６０を突設する。この当接部６０は、繰り出し構造体Ａの横ぶれを支えるのに十分な剛性を有している。
【０００８】
または、棒状化粧料１を保持し、棒状化粧料１を上下摺動させる繰り出し機構１０を内装し、上端及び下端を除くほぼ全体を覆ったスリーブ３と、このスリーブ３下端より突出した連結部４１を相対回転させることにより繰り出し機構１０を駆動する繰り出し構造体Ａと、キャップが抜脱可能に嵌合する嵌合部５１を有し、金属薄板により成形した中筒５を上部に設けた外装体Ｂとより成り、繰り出し構造体Ａのスリーブ３を外装体Ｂの中筒５を貫通した状態で、繰り出し構造体Ａの連結部４１と外装体Ｂを止着して、外装体Ｂと繰り出し構造体Ａを連結した構成において、外装体Ｂの中筒５内面に成形された凹所５３に、エラストマーなどの弾性変形可能な素材より成形し、スリーブ３が貫通する当接筒６を内装する。この当接筒６の内壁に、内接円径α２がスリーブ外径βよりも僅かに小径の当接部６０を突設する。この当接部６０により、繰り出し構造体Ａを外装体Ｂの軸心に支持する。この突設部６０の形状は、先端６１がとがった形状をしており、スリーブ３外壁に線接触させる。または、当接部６０の背面に空洞部分６２を設けて剛性を低下させており、スリーブ３外壁に低い反発力で接触させ、スリーブ３と外装体Ｂの相対回転時に摺動抵抗が生じにくい形状とする。
【発明の効果】
【０００９】
本発明は以上のように、当接筒６の当接部６０の内接円径α１が、スリーブ外径βよりも僅かに大径になっている場合、繰り出し構造体Ａに横ぶれが生じたとしても、スリーブ３外壁がまず当接部６０に当接する。この当接部６０を有した当接筒６は、弾性変形可能な素材により成っているため、固い物同士が当たって鳴るカタカタ音を立てない。更に、当接部６０は、ある程度の剛性を有しているため、繰り出し構造体Ａを他所に当てずに支持する。また、当接筒６の当接部６０の内接円径α２が、スリーブ外壁βよりも僅かに小径になっている場合、繰り出し構造体Ａは当接筒６の当接部６０により外装体Ｂの軸心に支えているため、スリーブ３外壁が他所に当たる事がなく、カタカタ音を立てることもない。
【００１０】
さらに、当接筒６の当接部６０の内接円径α１が、スリーブ外径βよりも僅かに大径になっている場合はもちろんであるが、当接筒６の当接部６０の内接円径α２が、スリーブ外径βよりも僅かに小径になっている場合も、当接部６０の先端６１がスリーブ３外壁に線接触させたり、低い反発力で接触させたりしているため、相対回転時の摺動抵抗が生じにくく、容器の操作感に影響を与えることはない。
【００１１】
また、当接筒６は、弾性変形可能な素材により成っているため、薄肉金属により成形された中筒５の内壁に生じてしまう凹所５３に、変形させながら装着可能であり、通常装着が不可能な部位にも装着ができ、既存の棒状化粧料繰り出し容器に対しても、後から実施可能となっている。さらに本発明の当接筒６は、カタカタ音の発生を防止するためだけの部材であるため、回転操作感などの使用感に何ら影響を与えるものではなく、コストを重視するか、高級感を重視するかによって装着の有無を選択できる。
【図面の簡単な説明】
【００１２】
【図１】本発明の棒状化粧料繰り出し容器の実施形態の正面断面図である。
【図２】本発明の実施形態の繰り出し構造体の部分正面断面図である。
【図３】本発明の実施形態の外装体の部分正面断面図である。
【図４】図１におけるＸ矢視部の部分拡大断面図である。
【図５】本発明の実施形態の当接筒の正面断面図である。
【図６】本発明の棒状化粧料繰り出し容器の他の実施形態の正面断面図である。
【図７】本発明の他の実施形態の繰り出し構造体部分正面断面図である。
【図８】本発明の他の実施形態の外装体の部分正面断面図である。
【図９】図５におけるＹ矢視部の部分拡大断面図である。
【図１０】本発明の他の実施形態の当接筒の正面断面図である。
【図１１】本発明の当接筒の他の実施例の部分断面図である。
【発明を実施するための形態】
【００１３】
まず、本発明を実施するための形態として、棒状化粧料１の下方に繰り出し機構１０を配置した繰り出し構造体Ａから成る棒状化粧料繰り出し容器について図１〜図５により説明する。
【００１４】
口紅、スティックファンデーションなどの棒状化粧料１の下端を保持する紅皿２は、下端に脚筒２０を垂下している。この脚筒２０は、下部外側壁にガイド突部２１を突設している。また、脚筒２０の下端よりは、一対の切り欠き２２が設けられ、ガイド突部２１を設けた脚筒２０を内方向に窄めることができるようになっている。さらに脚筒２０の下部内面には、雌ネジ２３を螺設している。この紅皿２は、スリーブ３内に上下摺動可能に内装されている。
【００１５】
スリーブ３は、薄肉金属製のパイプで、差別化する加飾を施している。このスリーブ３の下部側面には、軸線と平行にガイド溝３０を穿設している。このガイド溝３０は、前記紅皿２のガイド突部２１が係合して紅皿２を回動不能に摺動可能に案内している。またこのガイド溝３０の長さによって、紅皿２のストローク（摺動長さ）が決定する。このガイド溝３０には、紅皿２の脚筒２０を内方向に窄めた状態で挿入し、ガイド突部２１を係合させる。このスリーブ３の下端には、ネジ筒４を挿入している。
【００１６】
このネジ筒４は、紅皿２の脚筒２０内に侵入するネジ部４０と、スリーブ３後端より突出する連結部４１より成っている。このネジ部４０の外側壁には、紅皿２の脚筒２０に設けた雌ネジ２３と螺合する雄ネジ４２を螺設している。連結部４１は、スリーブ３後端部分が嵌合する上部連結部位４３と、スリーブ３下端より外部に突出する下部連結部位４４より成っている。
【００１７】
この上部連結部位４３の外側壁には、２つの周溝（第１周溝４５、第２周溝４６）を刻設している。この第１周溝４５には、スリーブ３の内周リブ３１が回動自在に脱落不能に係合している。この内周リブ３１は、スリーブ３の外部より内周方向に向けて成形している。第２周溝４６には、Ｏリング１１が嵌合している。このＯリング１１は、ＮＢＲなどの弾性を有した素材より成り、スリーブ３の内壁に弾性を有して摺接している。下部連結部位４４の外周壁には、溝状の係合部４７を周設し、この係合部４７の下方側壁には、全周に軸線と平行に多数の縦溝４８を刻設している。
【００１８】
上記紅皿２、スリーブ３、ネジ筒４により、繰り出し構造体Ａを構成している。この繰り出し構造体Ａは、スリーブ３とネジ筒４を相対回転すると、スリーブ３のガイド溝３０により回動を阻止された紅皿２の脚筒２０内の雌ネジ２３が、ネジ筒４の雄ネジ４２と螺合しているため、螺合作用により紅皿２が進退する繰り出し機構１０を有している。このスリーブ３とネジ筒４の相対回転時に、ネジ筒４の第２周溝４６内のＯリング１１がスリーブ３内壁に弾性を有して当接しているため、摺動抵抗が生じる。この摺動抵抗が良好な回転操作感を生む。
【００１９】
この繰り出し構造体Ａは、外装体Ｂに装着する。この外装体Ｂは、キャップ（図示しない）と、中筒５と、ハカマ筒１３とより成っており、差別化する加飾を施している。中筒５は、下部がハカマ筒１３内に止着される止着部５０となっており、上部がハカマ筒１３より上方に突出しキャップが抜脱可能に嵌合する嵌合部５１になっている。この中筒１３の止着部５０下方には、繰り出し構造体Ａの連結部４１を係合保持する構造体保持部５２を設けている。またこの中筒５は、薄肉金属製で、嵌合部５１の裏側に凹所５３を構成している。
【００２０】
この中筒５の構造体保持部５２内壁には、抜け止め突部５４及び、回り止め突部５５を突設している。この抜け止め突部５４及び、回り止め突部５５は、構造体保持部５３外部より内側壁に向け突設している。この抜け止め突部５４は、前記繰り出し構造体Ａの連結部４１に設けた溝状の係合部４７と係合して繰り出し構造体Ａを脱落不能に保持する。また、回り止め突部５５は、前記繰り出し構造体Ａの連結部４１に設けた縦溝４８と係合し繰り出し構造体Ａのネジ筒４を回動不能に保持する。
【００２１】
中筒５の凹所５３には、当接筒６を内装している（図５参照）。この当接筒６は、ＮＢＲ、エラストマーなど、弾性変形可能な素材により成っている。この当接筒６の内周壁には、当接部６０を突設している。この当接部６０の内接円径α１は、図４に示したように前記繰り出し構造体Ａのスリーブ外径βよりも僅かに大径となっており、繰り出し構造体Ａを装着した際、スリーブ３が貫通している。その結果、外装体Ｂに装着した繰り出し構造体Ａが横ぶれを起こしたとしても、スリーブ３外壁に当接筒６の当接部６０が当接する。当接部６０は、弾性変形可能な素材より成っているため、固い物同士が当たって鳴るようなカタカタ音を立てない。しかも、ある程度の剛性を有しているため、スリーブ３外壁が他所に当たらないように支えている。
【００２２】
更に、本発明の他の実施形態として、繰り出し機構１０を棒状化粧料１の周囲に配置した繰り出し構造体Ａから成る棒状化粧料繰り出し容器について図６〜図１１によって説明する。
【００２３】
口紅、スティックファンデーションなどの棒状化粧料１の下端を保持する紅皿２は、外側壁に一対の螺合突部２４を突設している。この紅皿２は、身筒７内に上下摺動可能に内装されている。
【００２４】
この身筒７の棒状化粧料１及び紅皿２を収納した収納部７０の外側壁には、螺旋保持部７１を設けている。この螺旋保持部７１の側壁には、軸線と平行に一対のガイド溝３０を穿設している。このガイド溝３０は、前記紅皿２の螺合突部２４が貫通して紅皿２を回動不能に摺動可能に案内している。また、このガイド溝３０の長さによって、紅皿２のストローク（摺動長さ）が決定する。この身筒７の収納部７０の下方には、連結部４１を設けている。また、螺旋保持部７１には、ラセン筒８を回動自在に脱落不能に保持している。
【００２５】
このラセン筒８の内側壁には、前記身筒７のガイド溝３０を貫通した紅皿２の螺合突部２４が螺合するラセン溝８０を螺設している。また、ラセン筒８の下部外周に軸線と平行の外周ローレット８１を刻設している。このラセン筒８及び身筒７は、スリーブ３内に挿入されている。
【００２６】
このスリーブ３は、差別化する加飾を施しており、内側壁には、ラセン筒８の外周ローレット８１が係合してラセン筒８を回動不能に保持する内周ローレット３２を刻設している。この内周ローレット３２により、スリーブ３の回転に従ってラセン筒８が従動するようになっている。前記身筒７の連結部４１は、スリーブ３の後端部分が嵌合する上部連結部位４３と、スリーブ３後端より外部に突出する下部連結部位４４より成っている。
【００２７】
この上部連結部位４３の外側壁には、２つの周溝（第１周溝４５、第２周溝４６）を刻設している。この第１周溝４５には、Ｏリング１１が嵌合している。このＯリング１１は、ＮＢＲなどの弾性を有した素材より成り、スリーブ３の内壁に弾性を有して摺接している。第２周溝４６には、スリーブ３の内周リブ３１が回動自在に脱落不能に係合している。この内周リブ３１は、スリーブ３の外部より内周方向に向けて成形している。下部連結部位４４の外周壁には、溝状の係合部４７を周設し、この係合部４７の下方側壁には、全周に軸線と平行に多数の縦溝４８を刻設している。
【００２８】
上記紅皿２、スリーブ３、身筒７、ラセン筒８により、繰り出し構造体Ａを構成している。この繰り出し構造体Ａは、スリーブ３と身筒７を相対回転すると、身筒７のガイド溝３０により回動を阻止された紅皿２の螺合突部２４がスリーブ３に従動するラセン筒８のラセン溝８０と螺合しているため、螺合作用により紅皿２が進退する繰り出し機構１０を有している。このスリーブ３と身筒７の相対回転時に、身筒７の第１周溝４６内のＯリング１１がスリーブ３内壁に弾性を有して当接しているため、摺動抵抗が生じる。この摺動抵抗が良好な回転操作感を生む。
【００２９】
この繰り出し構造体Ａは、外装体Ｂに装着する。この外装体Ｂは、キャップ（図示しない）と、中筒５と、ハカマ筒１３とより成っており、差別化する加飾を施している。中筒５は、下部がハカマ筒１３内に止着される止着部５０となっており、上部がハカマ筒１３より突出しキャップが抜脱可能に嵌合する嵌合部５１になっている。この中筒５の止着部５０下方には、繰り出し構造体Ａの連結部４１を係合保持する構造体保持部５２を設けている。またこの中筒５は、薄肉金属製で、嵌合部５１の裏側に凹所５３を有している。
【００３０】
この中筒５の構造体保持部５２内壁には、抜け止め突部５４及び、回り止め突部５５を突設している。この抜け止め突部５４及び、回り止め突部５５は、構造体保持部５３外部より内側壁に向け突設している。この抜け止め突部５４は、前記繰り出し構造体Ａの連結部４１に設けた溝状の係合部４７と係合して繰り出し構造体Ａを脱落不能に保持する。また、回り止め突部５５は、前記繰り出し構造体Ａの連結部４１に設けた縦溝４８と係合し繰り出し構造体Ａのネジ筒４を回動不能に保持する。
【００３１】
中筒５の凹所５３には、当接筒６を内装している（図１０参照）。この当接筒６は、ＮＢＲ、エラストマーなど、弾性変形可能な素材により成っている。この当接筒６の内周壁には、当接部６０を突設している。この当接部６０の内接円径α２は、図９に示したように、前記繰り出し構造体Ａのスリーブ外径βよりも僅かに小径となっており、繰り出し構造体Ａを装着した際、当接部６０の先端６１がスリーブ３外壁に触れた状態で貫通して繰り出し構造体Ａを軸心位置に支えている。その結果、外装体Ｂに装着した繰り出し構造体Ａに横ぶれを起こすような外力が加わったとしても、繰り出し構造体Ａが他所に当たってカタカタ音を立てるようなことはない。なお、この当接部６０は、図１０に示すように先端６１を尖った形状にしてスリーブ３外壁に線接触させたり、図１１に示すように当接部６０内に中空部分６２を設けて反発力を弱くしたりして、スリーブ３外壁との間に摺動抵抗が発生しにくくしており、容器の操作感に影響を与えていない。
【実施例】
【００３２】
本発明を実施する場合の棒状化粧料繰り出し容器は、棒状化粧料１が出没する上端と連結部４１が突出した下端を除くほぼ全体がスリーブ３により覆われ、スリーブ３と連結部４１を相対回転させる事により駆動する繰り出し機構１０を有した繰り出し構造部Ａの連結部４１を外装体Ｂに連結しており、外装体Ｂの中筒５内面に、繰り出し構造体Ａのスリーブ３が相対する部位に凹所５３を設ける事が出来れば実施可能である。従って、繰り出し構造部Ａ中の繰り出し機構１０も前述した条件を満たせば自由に選択でき、付帯するＯリング１１などの重み出し機構も自由に設定できる。
【００３３】
また、実施形態の欄において、繰り出し構造体Ａと外装体Ｂの連結は、係合部４７と抜け止め突部５４の係合、及び縦溝４８と回り止め突部５５の係合による方法を述べたが、これら係合による連結方法ばかりでなく、カシメ加工、接着など、繰り出し構造体Ａと外装体Ｂを直接固定する方法も実施可能である。
【００３４】
また、繰り出し構造体Ａと外装体Ｂを、係合部４７と抜け止め突部５４の係合、及び縦溝４８と回り止め突部５５の係合など、係合により連結させた場合、抜脱可能に係合保持させることにより、繰り出し構造体Ａを任意に取り外しできるカートリッジ式棒状化粧料繰り出し容器として利用できる。
【００３５】
また、当接筒６の当接部６０は、当接筒６の内面に設けるのであるが、当接部６０を内周全周に設けるばかりでなく、間欠に設けても、突部を円周状に配置して構成してもよい。この場合、当接部６０は当接筒６の内周上に均等に配置する必要がある。
【００３６】
当接筒６の当接部６０の形状は基本的に半円形、略台形、若しくはかまぼこ形である。ただし、図４の様に当接部６０の内接円径α１がスリーブ外径βよりも大径の場合、繰り出し構造部Ａが横ぶれした時最初に当接し、繰り出し構造部Ａを他所に当たらないで支えられる剛性が必要となる。また、図９の様に当接部６０の内接円径α２がスリーブ外径βよりも小径の場合、当接部６０の先端とスリーブ３外周が接触し、繰り出し構造体Ａが外装体Ｂの軸線に支持される。そのため、当接部６０の形状を、図１０に示したように先のとがった略三角形状にして、先端６１をスリーブ３外周に線接触させたり、図１１に示したように、当接部６０の形状を半円形、略台形、若しくはかまぼこ形にして、背面に空洞部分６２を設けて、当接部６０の剛性（反発力）を小さくさせたりして、スリーブ３と当接筒６間に大きな摺動抵抗が生じないようにする必要がある。
【符号の説明】
【００３７】
１  棒状化粧料
３  スリーブ
５  中筒
６  当接筒
１０  繰り出し機構
４１  連結部
５１  嵌合部
５３  凹所
６０  当接部
６１  先端
６２  空洞部分
Ａ  繰り出し構造体
Ｂ  外装体
α１、α２  内接円径
β  スリーブ外径
【図１】
2018027165.tif 000003
【図２】
2018027165.tif 000004
【図３】
2018027165.tif 000005
【図４】
2018027165.tif 000006
【図５】
2018027165.tif 000007
【図６】
2018027165.tif 000008
【図７】
2018027165.tif 000009
【図８】
2018027165.tif 000010
【図９】
2018027165.tif 000011
【図１０】
2018027165.tif 000012
【図１１】
2018027165.tif 000013
【手続補正書】
【提出日】平成28年8月17日(2016.8.17)
【手続補正１】
【補正対象書類名】明細書
【補正対象項目名】全文
【補正方法】変更
【補正の内容】
【発明の詳細な説明】
【技術分野】
【０００１】
本発明は、口紅、スティックファンデーションなどの棒状化粧料を収納し、容器を相対回転操作することにより棒状化粧料を繰り上げ下げさせる回転繰り出し機構を内装した棒状化粧料繰り出し容器に関し、容器を保持した時、使用した時の高級感を向上させる棒状化粧料繰り出し容器に関するものである。
【背景技術】
【０００２】
口紅、スティックファンデーションなどの棒状化粧料を収納し、容器を相対回転操作することにより棒状化粧料を繰り上げ下げさせる回転繰り出し機構を内装した棒状化粧料繰り出し容器は、回転繰り出し機構を内装した繰り出し構造体を規格品化してコストダウンし、この繰り出し構造体を、製品ごとに差別化する加飾を施した外装体に装着して成っていた。この繰り出し構造体の繰り出し機構は、繰り出し構造体のほとんどを覆い、外装体に装着した際、外部に突出し、加飾が可能なスリーブと、このスリーブ下端より突出し、外装体に連結する連結部とを相対回転する事により作動させていた。
【０００３】
この繰り出し構造体は、下端の連結部が外装体に連結しているため、下端の連結部を中心に横振れし易かった。この繰り出し構造体が横振れしてしまうと、繰り出し構造体の先端の振れ幅が大きく、スリーブ外壁が、外装体の最上端にある、キャップが抜脱可能に嵌合する嵌合部を有した嵌合部の内壁上端に当たってしまった。
【先行技術文献】
【特許文献】
【０００４】
【特許文献１】実開昭５７−１５２２１１号公報
【特許文献２】実開昭５９−３１３１５号公報
【特許文献３】特開２０００−２６２３２５号公報
【発明の概要】
【発明が解決しようとする課題】
【０００５】
特許文献１においては、嵌合部の内面に塗膜を設けてスリーブ外壁が塗膜に当接するようにして回転繰り出し操作を円滑化できた。特許文献２においては、嵌合部の内周面に複数の支持突部を突設して繰り出し構造体の横振れを規制した。特許文献３においては、嵌合部の内周面、口元よりも少し下がった位置にスリーブ側面が当接する当接部を突設し、スリーブ側面の外から見える位置の傷の発生を防止した。
【０００６】
上記特許文献は、回転操作を円滑化したり、横振れを規制したり、横振れによる傷の発生を防止したりする効果は有していた。しかし、繰り出し構造体の端部を保持する構造上、横振れ自体の発生を防ぐことは困難であり、容器を振った時などに横振れが発生し、スリーブと嵌合部が当たり、硬い物同士が当たって生じるカタカタ音が発生してしまった。このカタカタ音は化粧品容器の高級感を損なうものであった。
【課題を解決するための手段】
【０００７】
本発明は、前述した課題を解消するため、棒状化粧料１を保持し、棒状化粧料１を上下摺動させる繰り出し機構１０を内装し、上端及び下端を除くほぼ全体を覆ったスリーブ３と、このスリーブ３下端より突出した連結部４１を相対回転させることにより繰り出し機構１０を駆動する繰り出し構造体Ａと、上部にキャップ（図示しない）が抜脱可能に嵌合し、金属薄板より成形した嵌合部５１を上部に設けた外装体Ｂとより成り、繰り出し構造体Ａのスリーブ３を外装体Ｂの嵌合部５１を貫通した状態で、繰り出し構造体Ａの連結部４１と外装体Ｂを止着して外装体Ｂと繰り出し構造体Ａを連結した構成において、外装体Ｂの嵌合部５１内面に成形された凹所５３に、エラストマーなどの弾性変形可能な素材より成形し、スリーブ３が貫通する当接筒６を内装する。この当接筒６の内壁に、内接円径α１がスリーブ外径βよりも僅かに大径の当接部６０を突設する。この当接部６０は、繰り出し構造体Ａの横振れを支えるのに十分な剛性を有している。
【０００８】
または、棒状化粧料１を保持し、棒状化粧料１を上下摺動させる繰り出し機構１０を内装し、上端及び下端を除くほぼ全体を覆ったスリーブ３と、このスリーブ３下端より突出した連結部４１を相対回転させることにより繰り出し機構１０を駆動する繰り出し構造体Ａと、上部にキャップ（図示しない）が抜脱可能に嵌合し、金属薄板より成形した嵌合部５１を上部に設けた外装体Ｂとより成り、繰り出し構造体Ａのスリーブ３を外装体Ｂの嵌合部５１を貫通した状態で、繰り出し構造体Ａの連結部４１と外装体Ｂを止着して、外装体Ｂと繰り出し構造体Ａを連結した構成において、外装体Ｂの嵌合部５１内面に成形された凹所５３に、弾性変形可能な、スリーブ３が貫通する当接筒６を内装する。この当接筒６の内壁に、内接円径α２がスリーブ外径βと同径か僅かに小径の当接部６０を突設する。この当接部６０により、繰り出し構造体Ａを外装体Ｂの軸心に支持する。この突設部６０の形状は、スリーブ３と外装体Ｂの相対回転時に摺動抵抗が生じにくい形状とする。
【０００９】
具体的な当接部６０の形状としては、先端６１がとがった形状をしており、スリーブ３外壁に線接触若しくは点接触させる。または、当接筒６を弾性変形可能な素材より成形し、当接部６０の背面に空洞部分６２を設けて当接部６０の剛性を低下させ、スリーブ３外壁に低い反発力で接触させる。
【発明の効果】
【００１０】
本発明は以上のように、当接筒６の当接部６０の内接円径α１が、スリーブ外径βよりも僅かに大径になっている場合、繰り出し構造体Ａに横振れが生じたとしても、スリーブ３外壁がまず当接部６０に当接する。この当接部６０は、弾性を有しているため、固い物同士が当たって鳴るカタカタ音を立てない。更に、当接部６０は、ある程度の剛性を有しているため、繰り出し構造体Ａを他所に当てずに支持する。
【００１１】
当接筒６の当接部６０の内接円径α２が、スリーブ外壁βと同径か僅かに小径になっている場合、繰り出し構造体Ａは当接筒６の当接部６０により外装体Ｂの軸心に支えているため、スリーブ３外壁が他所に当たる事がなく、カタカタ音を立てることもない。
【００１２】
当接筒６の当接部６０の内接円径α１が、スリーブ外径βよりも僅かに大径になっている場合はもちろんであるが、当接筒６の当接部６０の内接円径α２が、スリーブ外径βと同径か僅かに小径になっている場合も、当接部６０の先端６１がスリーブ３外壁に線接触、若しくは点接触させたり、低い反発力で接触させたりしているため、相対回転時の摺動抵抗が生じにくく、容器の操作感に影響を与えることはない。
【００１３】
当接筒６は、弾性変形可能となっているため、薄肉金属より成形された嵌合部５１の内壁に生じてしまう凹所５３に、変形させながら装着可能であり、通常装着が不可能な部位にも装着ができ、既存の棒状化粧料繰り出し容器に対しても、後から実施可能となっている。さらに本発明の当接筒６は、カタカタ音の発生を防止するためだけの部材であるため、回転操作感などの使用感に何ら影響を与えるものではなく、コストを重視するか、高級感を重視するかによって装着の有無を選択できる。
【図面の簡単な説明】
【００１４】
【図１】本発明の棒状化粧料繰り出し容器の実施形態の正面断面図である。
【図２】本発明の実施形態の繰り出し構造体の部分正面断面図である。
【図３】本発明の実施形態の外装体の部分正面断面図である。
【図４】図１におけるＸ矢視部の部分拡大断面図である。
【図５】本発明の実施形態の当接筒の正面断面図である。
【図６】本発明の棒状化粧料繰り出し容器の他の実施形態の正面断面図である。
【図７】本発明の他の実施形態の繰り出し構造体部分正面断面図である。
【図８】本発明の他の実施形態の外装体の部分正面断面図である。
【図９】図５におけるＹ矢視部の部分拡大断面図である。
【図１０】本発明の他の実施形態の当接筒の正面断面図である。
【図１１】本発明の当接筒の他の実施例の部分断面図である。
【図１２】本発明の当接筒の他の実施例２の斜視図である。
【発明を実施するための形態】
【００１５】
まず、本発明を実施するための形態として、棒状化粧料１の下方に繰り出し機構１０を配置した繰り出し構造体Ａから成る棒状化粧料繰り出し容器について図１〜図５により説明する。
【００１６】
口紅、スティックファンデーションなどの棒状化粧料１の下端を保持する紅皿２は、下端に脚筒２０を垂下している。この脚筒２０は、下部外側壁にガイド突部２１を突設している。また、脚筒２０の下端よりは、一対の切り欠き２２が設けられ、ガイド突部２１を設けた脚筒２０を内方向に窄めることができるようになっている。さらに脚筒２０の下部内面には、雌ネジ２３を螺設している。この紅皿２は、スリーブ３内に上下摺動可能に内装されている。
【００１７】
スリーブ３は、薄肉金属製のパイプで、差別化する加飾を施している。このスリーブ３の下部側面には、軸線と平行にガイド溝３０を穿設している。このガイド溝３０は、前記紅皿２のガイド突部２１が係合して紅皿２を回動不能に摺動可能に案内している。またこのガイド溝３０の長さによって、紅皿２のストローク（摺動長さ）が決定する。このガイド溝３０には、紅皿２の脚筒２０を内方向に窄めた状態で挿入し、ガイド突部２１を係合させる。このスリーブ３の下端には、ネジ筒４を挿入している。
【００１８】
このネジ筒４は、紅皿２の脚筒２０内に侵入するネジ部４０と、スリーブ３後端より突出する連結部４１より成っている。このネジ部４０の外側壁には、紅皿２の脚筒２０に設けた雌ネジ２３と螺合する雄ネジ４２を螺設している。連結部４１は、スリーブ３後端部分が嵌合する上部連結部位４３と、スリーブ３下端より外部に突出する下部連結部位４４より成っている。
【００１９】
この上部連結部位４３の外側壁には、２つの周溝（第１周溝４５、第２周溝４６）を刻設している。この第１周溝４５には、スリーブ３の内周リブ３１が回動自在に脱落不能に係合している。この内周リブ３１は、スリーブ３の外部より内周方向に向けて成形している。第２周溝４６には、Ｏリング１１が嵌合している。このＯリング１１は、ＮＢＲなどの弾性を有した素材より成り、スリーブ３の内壁に弾性を有して摺接している。下部連結部位４４の外周壁には、溝状の係合部４７を周設し、この係合部４７の下方側壁には、全周に軸線と平行に多数の縦溝４８を刻設している。
【００２０】
上記紅皿２、スリーブ３、ネジ筒４により、繰り出し構造体Ａを構成している。この繰り出し構造体Ａは、スリーブ３とネジ筒４を相対回転すると、スリーブ３のガイド溝３０により回動を阻止された紅皿２の脚筒２０内の雌ネジ２３が、ネジ筒４の雄ネジ４２と螺合しているため、螺合作用により紅皿２が進退する繰り出し機構１０を有している。このスリーブ３とネジ筒４の相対回転時に、ネジ筒４の第２周溝４６内のＯリング１１がスリーブ３内壁に弾性を有して当接しているため、摺動抵抗が生じる。この摺動抵抗が良好な回転操作感を生む。
【００２１】
この繰り出し構造体Ａは、外装体Ｂに装着する。この外装体Ｂは、キャップ（図示しない）と、中筒５と、ハカマ筒１３とより成っており、差別化する加飾を施している。中筒５は、下部がハカマ筒１３内に止着される止着部５０となっており、上部がハカマ筒１３より上方に突出しキャップが抜脱可能に嵌合する嵌合部５１になっている。この中筒１３の止着部５０下方には、繰り出し構造体Ａの連結部４１を係合保持する構造体保持部５２を設けている。またこの中筒５は、薄肉金属製で、嵌合部５１の裏側に凹所５３を構成している。
【００２２】
この中筒５の構造体保持部５２内壁には、抜け止め突部５４及び、回り止め突部５５を突設している。この抜け止め突部５４及び、回り止め突部５５は、構造体保持部５３外部より内側壁に向け突設している。この抜け止め突部５４は、前記繰り出し構造体Ａの連結部４１に設けた溝状の係合部４７と係合して繰り出し構造体Ａを脱落不能に保持する。また、回り止め突部５５は、前記繰り出し構造体Ａの連結部４１に設けた縦溝４８と係合し繰り出し構造体Ａのネジ筒４を回動不能に保持する。
【００２３】
中筒５の凹所５３には、当接筒６を内装している（図５参照）。この当接筒６は、弾性変形可能になっている。この当接筒６の内周壁には、当接部６０を突設している。この当接部６０の内接円径α１は、図４に示したように前記繰り出し構造体Ａのスリーブ外径βよりも僅かに大径となっており、繰り出し構造体Ａを装着した際、スリーブ３が貫通している。その結果、外装体Ｂに装着した繰り出し構造体Ａが横振れを起こしたとしても、スリーブ３外壁に当接筒６の当接部６０が当接する。この当接部６０も、弾性変形可能となっているため、固い物同士が当たって鳴るようなカタカタ音を立てない。しかも、ある程度の剛性により、スリーブ３外壁が他所に当たらないように支える。
【００２４】
更に、本発明の他の実施形態として、繰り出し機構１０を棒状化粧料１の周囲に配置した繰り出し構造体Ａから成る棒状化粧料繰り出し容器について図６〜図１２によって説明する。
【００２５】
口紅、スティックファンデーションなどの棒状化粧料１の下端を保持する紅皿２は、外側壁に一対の螺合突部２４を突設している。この紅皿２は、身筒７内に上下摺動可能に内装されている。
【００２６】
この身筒７の棒状化粧料１及び紅皿２を収納した収納部７０の外側壁には、螺旋保持部７１を設けている。この螺旋保持部７１の側壁には、軸線と平行に一対のガイド溝３０を穿設している。このガイド溝３０は、前記紅皿２の螺合突部２４が貫通して紅皿２を回動不能に摺動可能に案内している。また、このガイド溝３０の長さによって、紅皿２のストローク（摺動長さ）が決定する。この身筒７の収納部７０の下方には、連結部４１を設けている。また、螺旋保持部７１には、ラセン筒８を回動自在に脱落不能に保持している。
【００２７】
このラセン筒８の内側壁には、前記身筒７のガイド溝３０を貫通した紅皿２の螺合突部２４が螺合するラセン溝８０を螺設している。また、ラセン筒８の下部外周に軸線と平行の外周ローレット８１を刻設している。このラセン筒８及び身筒７は、スリーブ３内に挿入されている。
【００２８】
このスリーブ３は、差別化する加飾を施しており、内側壁には、ラセン筒８の外周ローレット８１が係合してラセン筒８を回動不能に保持する内周ローレット３２を刻設している。この内周ローレット３２により、スリーブ３の回転に従ってラセン筒８が従動するようになっている。前記身筒７の連結部４１は、スリーブ３の後端部分が嵌合する上部連結部位４３と、スリーブ３後端より外部に突出する下部連結部位４４より成っている。
【００２９】
この上部連結部位４３の外側壁には、２つの周溝（第１周溝４５、第２周溝４６）を刻設している。この第１周溝４５には、Ｏリング１１が嵌合している。このＯリング１１は、ＮＢＲなどの弾性を有した素材より成り、スリーブ３の内壁に弾性を有して摺接している。第２周溝４６には、スリーブ３の内周リブ３１が回動自在に脱落不能に係合している。この内周リブ３１は、スリーブ３の外部より内周方向に向けて成形している。下部連結部位４４の外周壁には、溝状の係合部４７を周設し、この係合部４７の下方側壁には、全周に軸線と平行に多数の縦溝４８を刻設している。
【００３０】
上記紅皿２、スリーブ３、身筒７、ラセン筒８により、繰り出し構造体Ａを構成している。この繰り出し構造体Ａは、スリーブ３と身筒７を相対回転すると、身筒７のガイド溝３０により回動を阻止された紅皿２の螺合突部２４がスリーブ３に従動するラセン筒８のラセン溝８０と螺合しているため、螺合作用により紅皿２が進退する繰り出し機構１０を有している。このスリーブ３と身筒７の相対回転時に、身筒７の第１周溝４６内のＯリング１１がスリーブ３内壁に弾性を有して当接しているため、摺動抵抗が生じる。この摺動抵抗が良好な回転操作感を生む。
【００３１】
この繰り出し構造体Ａは、外装体Ｂに装着する。この外装体Ｂは、キャップ（図示しない）と、中筒５と、ハカマ筒１３とより成っており、差別化する加飾を施している。中筒５は、下部がハカマ筒１３内に止着される止着部５０となっており、上部がハカマ筒１３より突出しキャップが抜脱可能に嵌合する嵌合部５１になっている。この中筒５の止着部５０下方には、繰り出し構造体Ａの連結部４１を係合保持する構造体保持部５２を設けている。またこの中筒５は、薄肉金属製で、嵌合部５１の裏側に凹所５３を有している。
【００３２】
この中筒５の構造体保持部５２内壁には、抜け止め突部５４及び、回り止め突部５５を突設している。この抜け止め突部５４及び、回り止め突部５５は、構造体保持部５３外部より内側壁に向け突設している。この抜け止め突部５４は、前記繰り出し構造体Ａの連結部４１に設けた溝状の係合部４７と係合して繰り出し構造体Ａを脱落不能に保持する。また、回り止め突部５５は、前記繰り出し構造体Ａの連結部４１に設けた縦溝４８と係合し繰り出し構造体Ａのネジ筒４を回動不能に保持する。
【００３３】
中筒５の凹所５３には、当接筒６を内装している（図１０参照）。この当接筒６は、弾性変形可能になっている。この当接筒６の内周壁には、当接部６０を突設している。この当接部６０の内接円径α２は、図９に示したように、前記繰り出し構造体Ａのスリーブ外径βと同径か僅かに小径となっており、繰り出し構造体Ａを装着した際、当接部６０の先端６１がスリーブ３外壁に触れた状態で貫通して繰り出し構造体Ａを軸心位置に支えている。その結果、外装体Ｂに装着した繰り出し構造体Ａに横振れを起こすような外力が加わったとしても、当接部６０が支え、繰り出し構造体Ａが他所に当たってカタカタ音を立てるようなことはない。なお、この当接部６０は、図１０に示すように先端６１を尖った形状にしてスリーブ３外壁に線接触させ、スリーブ３外壁との間に摺動抵抗が発生しにくくしており、容器の操作感に影響を与えていない。
【実施例】
【００３４】
本発明を実施する場合の棒状化粧料繰り出し容器は、棒状化粧料１が出没する上端と連結部４１が突出した下端を除くほぼ全体がスリーブ３により覆われ、スリーブ３と連結部４１を相対回転させる事により駆動する繰り出し機構１０を有した繰り出し構造部Ａの連結部４１を外装体Ｂに連結しており、外装体Ｂの中筒５内面に、繰り出し構造体Ａのスリーブ３が相対する部位に凹所５３を設ける事が出来れば実施可能である。従って、繰り出し構造部Ａ中の繰り出し機構１０も前述した条件を満たせば自由に選択でき、付帯するＯリング１１などの重み出し機構も自由に設定できる。さらに、薄肉金属で成形するのであれば、外装体Ｂの中筒５とハカマ筒１３を一体に成形することも可能で、実施形態２の構成の場合、スリーブ３とラセン筒８を一体に成形するなど、部品の一体化も可能である。
【００３５】
実施形態の欄において、繰り出し構造体Ａと外装体Ｂの連結は、係合部４７と抜け止め突部５４の係合、及び縦溝４８と回り止め突部５５の係合による方法を述べたが、これら係合による連結方法ばかりでなく、カシメ加工、接着など、繰り出し構造体Ａと外装体Ｂを直接固定する方法も実施可能である。
【００３６】
繰り出し構造体Ａと外装体Ｂを、係合部４７と抜け止め突部５４の係合、及び縦溝４８と回り止め突部５５の係合など、係合により連結させた場合、抜脱可能に係合保持させることにより、繰り出し構造体Ａを任意に取り外しできるカートリッジ式棒状化粧料繰り出し容器として利用できる。
【００３７】
当接筒６は、中筒５の凹所５３内に装着させるため、弾性変形可能に成形する必要がある。これは、当接筒６自体をＮＢＲ、エラストマーなどの弾性変形可能な素材で成形しても、図１２に示したように、合成樹脂などの剛性材より成形し、部分的に切り欠き６３を設けて弾性変形可能に構成してもよい。当接筒６を剛性材で成形した場合、スリーブ３外壁と当接部６０との間に隙間があるとカタカタ音を生じてしまうため、スリーブ３と当接部６０は接触している必要がある。
【００３８】
当接筒６の当接部６０は、当接筒６の内面に設けるのであるが、当接部６０を内周全周に設けるばかりでなく、間欠に設けても、突部を円周状に配置して構成してもよい。この場合、当接部６０は当接筒６の内周上に均等に配置する必要がある。
【００３９】
当接筒６の当接部６０の形状は基本的に半円形、略台形、若しくはかまぼこ形である。ただし、図４の様に当接部６０の内接円径α１がスリーブ外径βよりも大径の場合、図５に示したように繰り出し構造部Ａが横振れした時最初に当接し、繰り出し構造部Ａを他所に当たらないで支えられる剛性が必要となる。
【００４０】
図９の様に当接部６０の内接円径α２がスリーブ外径βと同径か僅かに小径の場合、当接部６０の先端とスリーブ３外周が接触し、繰り出し構造体Ａが外装体Ｂの軸線に支持される。そのため、当接部６０の形状を、図１０に示したように先のとがった略三角形状にして、先端６１をスリーブ３外周に線接触若しくは点接触させたり、図１１に示したように、当接部６０の形状を半円形、略台形、若しくはかまぼこ形にして、背面に空洞部分６２を設けて、当接部６０の剛性（反発力）を小さくさせたりして、スリーブ３と当接筒６間に大きな摺動抵抗が生じないようにする必要がある。
【符号の説明】
【００４１】
１  棒状化粧料
３  スリーブ
６  当接筒
１０  繰り出し機構
４１  連結部
５１  嵌合部
５３  凹所
６０  当接部
６１  先端
６２  空洞部分
Ａ  繰り出し構造体
Ｂ  外装体
α１、α２  内接円径
β  スリーブ外径
【手続補正２】
【補正対象書類名】特許請求の範囲
【補正対象項目名】全文
【補正方法】変更
【補正の内容】
【特許請求の範囲】
【請求項１】
棒状化粧料（１）を保持し、棒状化粧料（１）を上下摺動させる繰り出し機構（１０）を内装し、上端及び下端を除くほぼ全体を覆ったスリーブ（３）と、該スリーブ（３）下端より突出した連結部（４１）を相対回転させることにより繰り出し機構（１０）を駆動する繰り出し構造体（Ａ）と、金属薄板より成形され、キャップ（図示しない）が抜脱可能に嵌合する嵌合部（５１）を上部に設けた外装体（Ｂ）とより成り、繰り出し構造体（Ａ）のスリーブ（３）を外装体（Ｂ）の嵌合部（５１）を貫通した状態で、繰り出し構造体（Ａ）の連結部（４１）と外装体（Ｂ）を止着して、外装体（Ｂ）と繰り出し構造体（Ａ）を連結した構成において、
外装体（Ｂ）の嵌合部（５１）内面に成形された凹所（５３）に、弾性変形可能な素材より成形し、スリーブ（３）が貫通する当接筒（６）を内装し、該当接筒（６）の内壁に、内接円径（α１）がスリーブ外径（β）よりも僅かに大径の当接部（６０）を突設し、該突設部（６０）は、通常でスリーブ（３）と接触しておらず、繰り出し構造体（Ａ）が横振れした時スリーブ（３）外壁が当接して支えることを特徴とする棒状化粧料繰り出し容器。
【請求項２】
棒状化粧料（１）を保持し、棒状化粧料（１）を上下摺動させる繰り出し機構（１０）を内装し、上端及び下端を除くほぼ全体を覆ったスリーブ（３）と、該スリーブ（３）下端より突出した連結部（４１）を相対回転させることにより繰り出し機構（１０）を駆動する繰り出し構造体（Ａ）と、金属薄板より成形され、キャップ（図示しない）が抜脱可能に嵌合する嵌合部（５１）を上部に設けた外装体（Ｂ）とより成り、繰り出し構造体（Ａ）のスリーブ（３）を外装体（Ｂ）の嵌合部（５１）を貫通した状態で、繰り出し構造体（Ａ）の連結部（４１）と外装体（Ｂ）を止着して、外装体（Ｂ）と繰り出し構造体（Ａ）を連結した構成において、
外装体（Ｂ）の嵌合部（５１）内面に成形された凹所（５３）に、弾性変形可能で、スリーブ（３）が貫通する当接筒（６）を内装し、該当接筒（６）の内壁に、内接円径（α２）がスリーブ外径（β）と同径か僅かに小径の当接部（６０）を突設して当接部（６０）の先端（６１）がスリーブ（３）外壁に接触して繰り出し構造体（Ａ）を外装体（Ｂ）の軸心に支えており、該当接部（６０）は、スリーブ（３）と外装体（Ｂ）の相対回転時に摺動抵抗が生じにくい形状としたことを特徴とする棒状化粧料繰り出し容器。
【請求項３】
該当接筒（６）の当接部（６０）は、先端（６１）がとがった形状をしており、スリーブ（３）外壁に線接触若しくは点接触することを特徴とする請求項２記載の棒状化粧料繰り出し容器。
【請求項４】
該当接筒（６）は弾性変形可能な素材より成形し、当接部（６０）は、背面に空洞部分（６２）を有して剛性の弱い形状をしており、スリーブ（３）外壁に低い反発力で接触することを特徴とする請求項２記載の棒状化粧料繰り出し容器。
【手続補正４】
【補正対象書類名】図面
【補正対象項目名】図１２
【補正方法】追加
【補正の内容】
【図１２】
2018027165.tif 000014